(57)【要約】【課題】設置後のパイプの伸縮状態に拘らず、常にケーブルをパイプ内に収納できる機構を有する天吊り装置を得る。【解決手段】外側パイプ３２と内側パイプ３３とを伸縮により所定の長さに合わせてねじ孔３２ｂ、３３ｂを連結し、角度調整機構３６、機器固定板３７を介して投射型画像表示装置３８を内側パイプ３３の下端に固定する。画像表示装置３８から延出したケーブル３９を、外側パイプ３２と内側パイプ３３の内側に配線し天井裏へと通線する。内側カバー３５の切込部３５ａ、３５ｂを、内側パイプ３３の凸部３３ｃ、３３ｄに嵌合して、内側カバー３５を固定する。外側カバー３４の切込部３４ａ、３４ｂを外側パイプ３２の凸部３２ｃ、３２ｄに嵌合し、外側カバー３４を固定する。  外側パイプ３２と内側パイプ３３との伸縮状態に拘らず、内側カバー３５は常に一部が外側カバー３４の内側にある構造となり、外部からケーブル３９が見えることがない。【選択図】図１
2009288736.tif 000002
【特許請求の範囲】
【請求項１】
天井から電気機器を吊り下げるための天吊り装置であって、天井に固定される固定部材と、該固定部材に垂設され、全長に渡って開放面を有する外側パイプと、該外側パイプに対して位置を調整できるように固定され、全長に渡って開放面を有する内側パイプと、該内側パイプの開放面を覆う内側カバーと、前記外側パイプの開放面を覆う外側カバーとを有し、前記内側パイプと前記内側カバーにより構成される内側パイプユニットは、前記外側パイプと前記外側カバーにより構成される外側パイプユニットの内側に配置され、前記内側パイプユニットと前記外側パイプユニットが前記電気機器から延出するケーブルを内包することを特徴とする電気機器天吊り装置。
【請求項２】
前記外側パイプ及び前記内側パイプの側面に複数のねじ孔が形成されており、前記外側パイプと前記内側パイプがねじ止めにより固定されることを特徴とする請求項１に記載の電気機器天吊り装置。
【請求項３】
前記外側パイプの外側面の上端及び下端に凸部が設けられており、該凸部に前記外側カバーに設けられた切込部を嵌合することにより、前記外側パイプの開放面が前記外側カバーにより覆われることを特徴とする請求項１又は２に記載の電気機器天吊り装置。
【請求項４】
前記内側パイプの内側面の上端及び下端に凸部が設けられており、該凸部に前記内側カバーに設けられた切込部を嵌合することにより、前記内側パイプの開放面が前記内側カバーにより覆われることを特徴とする請求項１〜３の何れか１つの請求項に記載の電気機器天吊り装置。
【発明の詳細な説明】
【技術分野】
【０００１】
本発明は、投射型画像表示装置等の電気機器を天井から吊り下げるための電気機器天吊り装置に関するものである。
【背景技術】
【０００２】
従来、投射型画像表示装置やテレビモニタ等の電気機器を天井から吊り下げた状態で設置し使用する要求があり、その要求に応えるために電気機器を天井から吊り下げて固定する天吊り装置が用いられている。
【０００３】
一般に、天吊り装置に求められる性能としては、設置の容易性と設置後の外観の良さが挙げられる。例えば、天井から機器までの高さを調節できる機構を設けることにより、電気機器の高さを調節をする度に部品の交換等をする必要がなくなる。この高さを調節する機構としては、複数個の断面コ字型形状や筒状のパイプを重ねて伸縮させる機構が知られている。
【０００４】
図５は従来の断面コ字型形状のパイプを用いた投射型画像表示装置用の天吊り装置の斜視図である。この天吊り装置は、天井Ｗにねじ等で固定された天井取付板１と、天井取付板１の中央から垂設された断面コ字型形状の外パイプ２を有している。更に、この外パイプ２の内側を上下方向に移動させることができる断面コ字型形状の内パイプ３を有し、この内パイプ３の先端には角度調節機構部により、天井Ｗとの角度を変更可能に設けられた図示しない機器固定板が設けられている。
【０００５】
この機器固定板に投射型画像表示装置４を固定することにより、投射型画像表示装置４を天井Ｗから任意の高さ・角度に設置することができる。
【０００６】
しかし、投射型画像表示装置４へは映像・制御信号等の送受信や電源供給のためのケーブル５を天井Ｗから繋げる必要があり、図５に示す天吊り装置では、設置後にケーブル５が外から見えてしまい、美観を損ねることになる。
【０００７】
図６は複数個の円筒状パイプを用いた天吊り装置の斜視図である。この天吊り装置は天井Ｗにねじ等で固定された天井取付板１１と、天井取付板１１の中央から垂設された円筒状の外パイプ１２を有している。更に、この外パイプ１２の内側を移動させることができる円筒状の内パイプ１３を有し、この内パイプ１３の先端には角度調節機構部により天井Ｗとの角度を変更可能に設けられた機器固定板を有している。
【０００８】
この機器固定板に投射型画像表示装置４を固定することにより、投射型画像表示装置４を天井Ｗから任意の高さ・角度に設置することができる。この図６に示す天吊り装置においては、ケーブル５を内パイプ１３、外パイプ１２内に配線することにより、外観上、ケーブル５を隠蔽することができ、設置後の外観を損なうことがない。
【０００９】
しかし、広いホール等の高い天井に設置をする場合には、長いパイプ又は多数のパイプを用いる必要があり、その中にケーブル５を通線する作業は、高所での作業となるため困難である。また、一般的にケーブル５の先端の端子ケーシング部はケーブル５の直径よりも大きく造られており、このケーシング部を外パイプ１２、内パイプ１３内を通過させる必要がある。そのため、外パイプ１２、内パイプ１３の径をケーブル５自体の太さより大きくする必要がある。
【００１０】
図７は上述の外観上の課題と、ケーブル配線作業の容易性を鑑みた投射型画像表示装置用の天吊り装置の斜視図を示している。この天吊り装置は、天井Ｗにねじ等で固定された天井取付板２１と、天井取付板２１の中央から垂設された断面コ字型形状の外パイプ２２と、この外パイプ２２の開放面に被せることで角型の筒状パイプを成すカバー２３を有している。更に、外パイプ２２の内側を移動させることができる断面コ字型形状の内パイプ２４と、この内パイプ２４の開放面に被せることで角型の筒状パイプを成すカバー２５を有し、角度調節機構部により天井Ｗとの角度を変更可能に設けられた機器固定板とを有している。
【００１１】
この機器固定板に投射型画像表示装置４を固定することにより、投射型画像表示装置４を天井Ｗから任意の高さ・角度に設置することができる。また、ケーブル５を外パイプ２２、内パイプ２４内に配線した後にカバー２３、２５を被せ、ねじ等で固定することにより、ケーブル５の配線作業を容易としたまま、外観上ケーブル５を部分的に隠すことができる。
【００１２】
しかし、この構造においてはカバー２３、２５は共に外側からねじ等によりそれぞれ固定されているため、カバー２５がカバー２３の内側を摺動することができない。そのため、内パイプ２４の伸縮状態によって、所定の長さ以下に縮める場合には、カバー２５を取り外す作業が必要となり、逆に所定の長さ以上に伸ばす場合には、カバー２３、２５との隙間からケーブル５が視認でき、外観を損ねてしまうことになる。
【００１３】
また、外パイプ２２、内パイプ２４内にケーブル５を通線し、カバー２３、２５を取り付ける作業は、ケーブル５、カバー２３、２５、ねじ、ドライバ等の多くのものを同時に扱う必要があり、特に高所の作業であるため困難である。
【００１４】
また特許文献１においては、上側アームと、上側アームに対して移動させることにより長さ調節できる下側アームとを有する天吊り装置において、下側アームを第１の支持手段によって揺動できる構造が開示されている。そして、下側アームを揺動することにより、長さを固定するための突起部とフック部とを係合したり、外したりすることができ、簡易な構成で天井から対象物までの距離を調節できるようにしている。
【００１５】
【特許文献１】特開２００６−１６２１８７号公報
【発明の開示】
【発明が解決しようとする課題】
【００１６】
しかし、特許文献１の天吊り装置は、外側になるアームを揺動させるために、外側になるアームの断面をＣ字形またはコ字型とする必要があり、天井から対象物に繋がるケーブルをパイプ内に完全に収納することができない。したがって、上下のアームを最も縮めた場合にケーブルが緩み、次に上下のアームを伸ばすと緩んだケーブルが構造物の突起等に引っかかった状態で引っ張られてしまうおそれがある。また、ケーブルが外から見えてしまい、美観を損ねてしまう。
【００１７】
このことから、高さ調節機構を有し、ケーブルの配線作業を容易としたまま、パイプを伸縮させた場合でも、ケーブルが他の部材に引っ掛かることがなく、常に外観を損なわない天吊り装置が望まれている。
【００１８】
本発明の目的は、上述の問題点を解消し、設置後のパイプの伸縮状態に拘らず、常にケーブルをパイプ内に収納できる機構を有する電気機器天吊り装置を提供することにある。
【課題を解決するための手段】
【００１９】
本発明に係る電気機器天吊り装置は、天井から電気機器を吊り下げるための天吊り装置であって、天井に固定される固定部材と、該固定部材に垂設され、全長に渡って開放面を有する外側パイプと、該外側パイプに対して位置を調整できるように固定され、全長に渡って開放面を有する内側パイプと、該内側パイプの開放面を覆う内側カバーと、前記外側パイプの開放面を覆う外側カバーとを有し、前記内側パイプと前記内側カバーにより構成される内側パイプユニットは、前記外側パイプと前記外側カバーにより構成される外側パイプユニットの内側に配置され、前記内側パイプユニットと前記外側パイプユニットが前記電気機器から延出するケーブルを内包することを特徴とする。
【発明の効果】
【００２０】
本発明に係る電気機器天吊り装置によれば、天井付近での高所作業を簡易化し、ねじや部品の落下の可能性を低減させることができる。
【発明を実施するための最良の形態】
【００２１】
本発明を図１〜図４に図示の実施例に基づいて詳細に説明する。
図１は本実施例の天吊り装置に例えば投射型画像表示装置等の電気機器を設置した状態の斜視図、図２は組立状態における外側パイプ、内側パイプ、外側カバー、内側カバーの断面図を示している。
【００２２】
本実施例における天吊り装置は、天井に固定するための天井固定部材３１を有し、この天井固定部材３１から、長さ方向の全長に渡って開放面３２ａを有する断面コ字型形状の外側パイプ３２が垂設されている。また、開放面３２ａと同方向の長さ方向の開放面３３ａを有する断面コ字型形状の内側パイプ３３が、外側パイプ３２の内側を移動できるように配置されている。
【００２３】
また、外側パイプ３２、内側パイプ３３の側面には、ねじ等を介して外側パイプ３２と内側パイプ３３を連結するための複数のねじ孔３２ｂ、３３ｂが穿けられている。更に、外側パイプ３２の上部と下部の外側面には凸部３２ｃ、３２ｄが設けられている。同様に、内パイプ３３の上部及び下部の内側面には凸部３３ｃ、３３ｄが設けられている。
【００２４】
外パイプ３２の開放面３２ａを覆う外側には、外側カバー３４が配置され、この外側カバー３４の上部と下部の側面には、外側パイプ３２の外側に設けられた凸部３２ｃ、３２ｄに嵌合させるための切込部３４ａ、３４ｂが設けられている。そして、外側パイプ３２の開放面３２ａを外側カバー３４で覆うことにより、外側パイプユニットが形成される。また、外側カバー３４の上端には外側カバー３４を確実に天井固定部材３１に固定するためのねじ孔３４ｃが穿けられている。
【００２５】
同様に、内側パイプ３３の開放面３３ａを覆う外側には、内側カバー３５が設けられ、この内側カバー３５の上部と下部の側面には内側パイプ３３に設けられた凸部３３ｃ、３３ｄに嵌合させるための切込部３５ａ、３５ｂが設けられている。内側パイプ３３の開放面３３ａを内側カバー３５で覆うことにより内側パイプユニットを形成している。このように、内側パイプユニットは、外側パイプユニットの内側を移動させることができる構成としている。なお、ねじ孔３２ｂ、３３ｂ、凸部３２ｃ、３２ｄ、３３ｃ、３３ｄ、切込部３４ａ、３４ｂ、３５ａ、３５ｂは、左右対称的な位置に設けられている。
【００２６】
そして、内側パイプ３３の下端には、天井との角度を調節するための角度調節機構３６、機器固定板３７を介して投射型画像表示装置３８が取り付けられている。また、投射型画像表示装置３８からは、電源の供給や、映像・制御信号の送受信をするための少なくとも１本のケーブル３９が延出されている。
【００２７】
実際に投射型画像表示装置３８にケーブル３９を配線する場合には、外側パイプ３２と内側パイプ３３の伸縮により所定の長さに合わせてから、ねじ孔３２ｂ、３３ｂを図示しないねじにより連結する。更に、角度調節機構３６、機器固定板３７を介して投射型画像表示装置３８を内側パイプ３３の下端に固定する。投射型画像表示装置３８から延出したケーブル３９を、外側パイプ３２と内側パイプ３３の内部に配線し、天井に開けられた孔から天井裏へと通線する。
【００２８】
ケーブル３９を配線した後に、内側カバー３５の下部の切込部３５ｂを、内側パイプ３３の下部の凸部３３ｄに嵌合し、同様に内側カバー３５の上部の切込部３５ａを、内側パイプ３３の上部の凸部３３ｃに嵌合させて固定する。
【００２９】
続いて、外側カバー３４の下部の切込部３４ｂを外側パイプ３２の下部の凸部３２ｄに嵌合し、外側カバー３４の上部の切込部３４ａを、外側パイプ３２の上部の凸部３２ｃに嵌合させて固定する。更に、外側カバー３４を確実に固定するために、ねじ孔３４ｃにねじを用いて天井固定部材３１にねじ止めをする。
【００３０】
外側カバー３４、内側カバー３５が共に嵌合されると、重力により引っ掛け方向に付勢され、ねじ等で固定しなくとも外れ難い構造となっている。更に、外側パイプ３２と内側パイプ３３との伸縮状態に拘らず、内側カバー３５は常に一部が外側カバー３４の内側にある構造となっているため、外側カバー３４を取り付けることで内側カバー３５の外れ防止となっている。
【００３１】
図３は投射型画像表示装置３８を天吊り装置により天井Ｗから吊り下げた状態を示している。内側パイプ３３の伸縮状態に拘らず、ケーブル３９が内側パイプ３３、外側パイプ３２内を通線しており、外部から視認不能であり、外観も損ねることがない。
【００３２】
設置後に投射型画像表示装置３８の高さを調整する場合には、外側カバー３４、内側カバー３５を外した後に、外側パイプ３２と内側パイプ３３を連結しているねじを取り外し、内側パイプ３３を摺動させて所定の高さに調整した後に、ねじを用いて再度固定する。そして、その後に外側カバー３４、内側カバー３５を再度取り付ければよい。
【００３３】
このように本実施例においては、内側パイプ３３の伸縮状態に拘らず、常に外側パイプ３２、内側パイプ３３がケーブル３９を内包することができ、ケーブル３９を隠蔽することができる。
【００３４】
なお、上述の実施例においては、断面コ字型形状の外側パイプ３２、内側パイプ３３を用いたが、図４に示すように円弧状の外側パイプ４１、内側パイプ４２を用い、同様の外側カバー４３、内側カバー４４により開放面を覆うようにすることもできる。
【図面の簡単な説明】
【００３５】
【図１】投射型画像表示装置を取り付ける天吊り装置の分解斜視図である。
【図２】組立状態における外側パイプ、内側パイプ、外側カバー、内側カバーの断面図である。
【図３】天吊り装置により投射型画像表示装置を固定した状態の斜視図である。
【図４】外側パイプ、内側パイプ、外側カバー、内側カバーの横断面図である。
【図５】従来の天吊り装置の斜視図である。
【図６】従来の天吊り装置の斜視図である。
【図７】従来の天吊り装置の斜視図である。
【符号の説明】
【００３６】
３１  天井固定部材
３２、４１  外側パイプ
３２ａ、３３ａ  開放面
３２ｂ、３３ｂ、３４ｃ  ねじ孔
３２ｃ、３２ｄ、３３ｃ、３３ｄ  凸部
３３、４２  内側パイプ
３４、４３  外側カバー
３５、４４  内側カバー
３４ａ、３４ｂ、３５ａ、３５ｂ  切込部
３６  角度調整機構部
３７  機器固定板
３８  投射型画像表示装置
３９  ケーブル
【図１】
2009288736.tif 000003
【図２】
2009288736.tif 000004
【図３】
2009288736.tif 000005
【図４】
2009288736.tif 000006
【図５】
2009288736.tif 000007
【図６】
2009288736.tif 000008
【図７】
2009288736.tif 000009